(57)【要約】  【課題】低コストで、自治体に関する信頼性の高い情報をユーザである住民に提供する。  【解決手段】情報処理装置は、ユーザの利用する自治体を識別する識別部１０と、共通質問、前記共通質問に対する第一自治体回答及び前記共通質問に紐づけられた第一自治体リンク先情報、並びに、前記共通質問に対する第二自治体回答及び前記共通質問に紐づけられた第二自治体リンク先情報を記憶する記憶部２０と、ユーザが入力した質問に対応する共通質問を選択する制御部５０と、ユーザが第一自治体の住民である場合には前記第一自治体回答及び前記第一自治体リンク先情報を出力し、ユーザが第二自治体の住民である場合には前記第二自治体回答及び前記第二自治体リンク先情報を出力する出力部３０と、を有する。【選択図】  図１
2020027527.tif 000002
【特許請求の範囲】
【請求項１】
ユーザの利用する自治体を識別する識別部と、
共通質問、前記共通質問に対する第一自治体回答及び前記共通質問に紐づけられた第一自治体リンク先情報、並びに、前記共通質問に対する第二自治体回答及び前記共通質問に紐づけられた第二自治体リンク先情報を記憶する記憶部と、
ユーザが入力した質問に対応する共通質問を選択する制御部と、
ユーザが第一自治体を利用する場合には前記第一自治体回答及び前記第一自治体リンク先情報を出力し、ユーザが第二自治体を利用する場合には前記第二自治体回答及び前記第二自治体リンク先情報を出力する出力部と、
を備える情報処理装置。
【請求項２】
前記記憶部は複数の第一自治体回答及び複数の第二自治体回答を記憶し、
複数の第一自治体回答は複数の第二自治体回答において共通する、請求項１に記載の情報処理装置。
【請求項３】
前記出力部は、ユーザからの自治体サービスに関する質問に対し、最終的にはリンク先情報を出力する、請求項１又は２のいずれかに記載の情報処理装置。
【請求項４】
記憶部は、狭域自治体に関する狭域自治体情報と、前記狭域自治体を地理的に包含する広域自治体に関する広域自治体情報とを記憶し、
ユーザが第一狭域自治体の住民である場合には、前記出力部は、前記第一狭域自治体に関する前記第一狭域自治体情報と、前記第一狭域自治体を地理的に包含する第一広域自治体に関する第一広域自治体情報を優先的に出力する、請求項１乃至３のいずれか１項に記載の情報処理装置。
【請求項５】
前記記憶部は第一自治体と前記第一自治体に関連付けられた第一関連自治体との関連情報を記憶し、
ユーザが第一自治体の住民である場合には、前記出力部は、前記第一自治体に関する第一自治体情報を第一優先で出力し、前記第一関連自治体に関する第一関連自治体情報を第二優先で出力する、請求項１乃至４のいずれか１項に記載の情報処理装置。
【請求項６】
前記制御部は人工知能機能を有し、ユーザから入力された質問に対応する最適な共通質問を機械学習する、請求項１乃至５のいずれか１項に記載の情報処理装置。
【請求項７】
ユーザの利用する自治体を識別するための識別情報とユーザからの質問を送信する送信部と、
前記ユーザの利用する自治体を識別したサーバから、当該自治体における前記質問に対応する共通質問に対する自治体回答及び前記共通質問に紐づけられた自治体リンク先情報を受信する受信部と、
を備える情報処理装置。
【請求項８】
ユーザの利用する自治体を識別するための識別情報をユーザ端末からサーバに送信する工程と、
前記ユーザからの質問をユーザ端末からサーバに送信する工程と、
前記ユーザの利用する自治体を識別したサーバから、当該自治体における前記質問に対応する共通質問に対する自治体回答及び前記共通質問に紐づけられた自治体リンク先情報をユーザ端末が受信する工程と、
を備える情報処理方法。
【請求項９】
情報処理装置にインストールするためのプログラムであって、
プログラムをインストールされた情報処理装置は、
ユーザの利用する自治体を識別する識別機能と、
共通質問、前記共通質問に対する第一自治体回答及び前記共通質問に紐づけられた第一自治体リンク先情報、並びに、前記共通質問に対する第二自治体回答及び前記共通質問に紐づけられた第二自治体リンク先情報を記憶する記憶機能と、
ユーザが入力した質問に対応する共通質問を選択する選択機能と、
ユーザが第一自治体の住民である場合には前記第一自治体回答及び前記第一自治体リンク先情報を出力し、ユーザが第二自治体の住民である場合には前記第二自治体回答及び前記第二自治体リンク先情報を出力する出力機能と、
を備える、プログラム。
【発明の詳細な説明】
【技術分野】
【０００１】
本発明は、ユーザである住民に自治体に関する情報を提供する情報処理装置、情報処理方法及びプログラムに関する。
【背景技術】
【０００２】
従来から自治体が提供する行政サービスに関する情報を生成する情報提供システムが提案されている。例えば特許文献１では、住民の情報と行政サービスに関する情報を取得し、行政サービスの条件と住民の条件を比較し、そのサービス内容のその住民に対しての有用性を評価し、評価結果と行政サービスに関する情報をあわせて住民に提供することが提案されている。
【先行技術文献】
【特許文献】
【０００３】
【特許文献１】特開２００４−３３４６１５号
【発明の概要】
【発明が解決しようとする課題】
【０００４】
しかしながら、行政サービスに関して住民に情報を提供するシステムを構築することには多額の費用がかかることが問題となっている。
【０００５】
本発明は、低コストで、自治体に関する信頼性の高い情報をユーザである住民に提供できる情報処理装置、情報処理方法及びプログラムを提供する。
【課題を解決するための手段】
【０００６】
本発明による情報処理装置は、
ユーザの利用する自治体を識別する識別部と、
共通質問、前記共通質問に対する第一自治体回答及び前記共通質問に紐づけられた第一自治体リンク先情報、並びに、前記共通質問に対する第二自治体回答及び前記共通質問に紐づけられた第二自治体リンク先情報を記憶する記憶部と、
ユーザが入力した質問に対応する共通質問を選択する制御部と、
ユーザが第一自治体を利用する場合には前記第一自治体回答及び前記第一自治体リンク先情報を出力し、ユーザが第二自治体を利用する場合には前記第二自治体回答及び前記第二自治体リンク先情報を出力する出力部と、
を備えてもよい。
【０００７】
本発明による情報処理装置において、
前記記憶部は複数の第一自治体回答及び複数の第二自治体回答を記憶し、
複数の第一自治体回答は複数の第二自治体回答において共通してもよい。
【０００８】
本発明による情報処理装置において、
前記出力部は、ユーザからの自治体サービスに関する質問に対し、最終的にはリンク先情報を出力してもよい。
【０００９】
本発明による情報処理装置において、
記憶部は、狭域自治体に関する狭域自治体情報と、前記狭域自治体を地理的に包含する広域自治体に関する広域自治体情報とを記憶し、
ユーザが第一狭域自治体の住民である場合には、前記出力部は、前記第一狭域自治体に関する前記第一狭域自治体情報と、前記第一狭域自治体を地理的に包含する第一広域自治体に関する第一広域自治体情報を優先的に出力してもよい。
【００１０】
本発明による情報処理装置において、
前記記憶部は第一自治体と前記第一自治体に関連付けられた第一関連自治体との関連情報を記憶し、
ユーザが第一自治体の住民である場合には、前記出力部は、前記第一自治体に関する第一自治体情報を第一優先で出力し、前記第一関連自治体に関する第一関連自治体情報を第二優先で出力してもよい。
【００１１】
本発明による情報処理装置において、
前記制御部は人工知能機能を有し、ユーザから入力された質問に対応する最適な共通質問を機械学習してもよい。
【００１２】
本発明による情報処理装置は、
ユーザの利用する自治体を識別するための識別情報とユーザからの質問を送信する送信部と、
前記ユーザの利用する自治体を識別したサーバから、当該自治体における前記質問に対応する共通質問に対する自治体回答及び前記共通質問に紐づけられた自治体リンク先情報を受信する受信部と、
を備えてもよい。
【００１３】
本発明による情報処理方法は、
ユーザの利用する自治体を識別するための識別情報をユーザ端末からサーバに送信する工程と、
前記ユーザからの質問をユーザ端末からサーバに送信する工程と、
前記ユーザの利用する自治体を識別したサーバから、当該自治体における前記質問に対応する共通質問に対する自治体回答及び前記共通質問に紐づけられた自治体リンク先情報をユーザ端末が受信する工程と、
を備えてもよい。
【００１４】
本発明によるプログラムは、
情報処理装置にインストールするためのプログラムであって、
プログラムをインストールされた情報処理装置は、
ユーザの利用する自治体を識別する識別機能と、
共通質問、前記共通質問に対する第一自治体回答及び前記共通質問に紐づけられた第一自治体リンク先情報、並びに、前記共通質問に対する第二自治体回答及び前記共通質問に紐づけられた第二自治体リンク先情報を記憶する記憶機能と、
ユーザが入力した質問に対応する共通質問を選択する選択機能と、
ユーザが第一自治体の住民である場合には前記第一自治体回答及び前記第一自治体リンク先情報を出力し、ユーザが第二自治体の住民である場合には前記第二自治体回答及び前記第二自治体リンク先情報を出力する出力機能と、
を有してもよい。
【発明の効果】
【００１５】
本発明において、共通質問と、共通質問に対する自治体毎の回答及び自治体毎のリンク先情報とを記憶し、識別されたユーザの利用する自治体における回答及びリンク先情報を出力する態様を採用した場合には、共通質問を用いつつも信頼性の高いリンク先情報にユーザを導くことができる。このため、低コストで、信頼性の高い情報をユーザに提供できる。
【図面の簡単な説明】
【００１６】
【図１】図１は、本発明の実施の形態による情報処理装置の構成を示した概略図である。
【図２】図２は、本発明の実施の形態で用いられ得る共通質問と回答及びリンク先情報との関係を示した図である。
【図３】図３は、本発明の実施の形態で用いられ得る共通質問と狭域自治体情報及び広域自治体情報との関係を示した図である。
【図４】図４は、本発明の実施の形態による情報処理システムの構成を示した概略図である。
【図５】図５は、本発明の実施の形態による情報処理システムを用いた情報の流れを示した図である。
【図６】図６は、本発明の実施の形態で用いられ得る質問、回答及びリンク先ＵＲＬに関する表を示した図である。
【図７】図７は、本発明の実施の形態で用いられ得るユーザ端末の表示画面の一例を示した図である。
【図８】図８（ａ）は、本発明の実施の形態で用いられ得るユーザ端末の表示画面の別の例を示した図であり、図８（ｂ）は図８（ａ）から先に進んだユーザ端末の表示画面を示した図である。
【発明を実施するための形態】
【００１７】
実施の形態
《構成及び方法》
以下、本発明に係る情報処理装置及び情報処理方法の実施の形態について説明する。本実施の形態では、パソコン等のコンピュータにインストールされることで、当該コンピュータによって本実施の形態の情報処理方法を実行できるようにするプログラム及び当該プログラムを記録した記録媒体も提供される。
【００１８】
本実施の形態の情報処理装置はいずれの場所に設置されてもよく、クラウドであってもよい。本実施の形態の情報処理装置は、一つの装置から構成されてもよいし複数の装置から構成されてもよい。また、複数の装置から情報処理装置が構成される場合には、各装置が同じ部屋等の同じ空間に設けられる必要はなく、異なる部屋、異なる建物、異なる地域等に設けられてもよい。また、複数の装置から情報処理装置が構成される場合には、その一部を一機関が所有及び／又は管理し、残りを別機関が所有及び／又は管理してもよい。
【００１９】
本実施の形態の情報処理装置は、例えばプログラムをインストールすることで生成される。このプログラムは電子メールで配信されてもよいし、所定のＵＲＬにアクセスしたうえでログインすることで入手できてもよいし、記録媒体に記録されてもよい。本実施の形態によるプログラムは以下に示す情報処理装置を生成するために利用され、本実施の形態による記録媒体は当該プログラムを記録するために利用される。また、本実施の形態の情報処理方法は上記プログラムがインストールされた情報処理装置によって実施される。情報処理装置は、情報処理装置にインストールされたアプリケーションを実行することによって、本実施の形態の情報処理方法を実行してもよい。
【００２０】
図１に示すように、本実施の形態の情報処理装置は、ユーザの利用する自治体を識別する識別部１０と、複数の自治体で共通する共通質問、各自治体における共通質問に対する自治体回答及びリンク先情報を記憶する記憶部２０と、ユーザが入力した質問に対応する共通質問を選択する制御部５０と、自治体回答及び／又はリンク先情報を出力する出力部３０と、を有してもよい。
【００２１】
記憶部２０は、複数の自治体で共通する共通質問、複数の自治体における共通質問に対する自治体回答及びリンク先情報を記憶してもよい。言い換えると、記憶部２０は、共通質問と、共通質問に対する第一自治体回答及び共通質問に紐づけられた第一自治体リンク先情報と、共通質問に対する第二自治体回答及び共通質問に紐づけられた第二自治体リンク先情報とを記憶してもよい。出力部３０は、ユーザが第一自治体を利用する場合には第一自治体回答及び第一自治体リンク先情報を出力し、ユーザが第二自治体を利用する場合には第二自治体回答及び第二自治体リンク先情報を出力するようにしてもよい。なお、第一自治体と第二自治体とは異なる自治体である。
【００２２】
記憶部２０は複数の第一自治体回答及び複数の第二自治体回答を記憶し、複数の第一自治体回答は複数の第二自治体回答において共通していてもよい。つまり、複数の第一自治体回答の全部又は一部が複数の第二自治体回答において共通してもよい。
【００２３】
図２に示すように、記憶部２０は、ある共通質問（共通質問Ａ）と、当該ある共通質問（共通質問Ａ）に対する第ｎ自治体回答（第ｎ自治体回答Ａ）及び当該ある共通質問（共通質問Ａ）に紐づけられた第ｎ自治体における第ｎ自治体リンク先情報Ａ（第ｎ自治体リンク先情報Ａ）と、を記憶し、別の共通質問（共通質問Ｂ）と、当該別の共通質問（共通質問Ｂ）に対する第ｎ自治体回答答（第ｎ自治体回答Ｂ）及び当該ある共通質問（共通質問Ａ）に紐づけられた第ｎ自治体における第ｎ自治体リンク先情報（第ｎ自治体リンク先情報Ｂ）と、を記憶してもよい。なお、ここで「ｎ」は「１以上の整数」である。
【００２４】
制御部５０はユーザが入力した質問に最も近い共通質問を選択してもよい（図５の(2)参照）。制御部５０は人工知能機能を有し、制御部５０は質問に対する最適な一つの共通質問を機械学習によって学習してもよい。ユーザからの質問の入力は自由入力（図５の(1)'、図８（ａ）参照）と選択肢入力（図５の(1)、図８（ａ）参照）が組み合わされてもよい。最初の段階ではユーザが質問したい内容を自由入力できるようにし、ある程度回答が絞り込まれた段階で選択肢として質問が表示されてもよい。出力部３０は、ユーザからの自治体サービスに関する質問に対し、最終的にはリンク先情報を出力してもよい（図５の(4)、図８（ｂ）参照）。
【００２５】
機械学習はユーザが再度質問を行ったかによって行われてもよく、ユーザが例えば「ゴミ回収」と入力した際に表示された共通質問に対し、異なる用語を入力して再検索した場合には、当該共通質問は誤ったものとして機械学習されてもよい。逆に、例えば「ゴミ回収」と入力した際に表示された共通質問に対し、そのままリンク先情報の表示まで行ってアクセスを止めた場合には当該共通質問は正解であったとして機械学習されてもよい。また制御部５０は満足のいく回答が得られたかどうかについてアンケートを採るようにし、満足のいく回答が得られたという内容であれば正解であったと判断し、満足のいく回答ではなかったという内容であれば誤ったものだと判断してもよい。また満足のいく回答ではなかったという内容であれば、再質問をするかをユーザに問い合わせてもよく、再質問をした結果について満足を得たかどうかによって学習してもよい。
【００２６】
自由入力される質問は自由な記載内容でよく、例えば「お金に困っている」と質問することもでき、この場合には例えば「児童手当」、「補助金」等に関する共通質問を制御部５０が選択してもよい。また例えば「休日に子どもを預けなくちゃいけなくて」と質問すると例えば「時間外保育サービス」に関する共通質問を制御部５０が選択してもよい（図８（ａ）参照）。また制御部５０が採点した結果、自由入力した際に閾値以上の点数の付いた選択肢だけが表示されてもよく、閾値以上の点数が付いた選択肢が一つだけの場合には、当該選択肢における共通質問に対する回答及びリンク先情報がそのまま表示されてもよい。
【００２７】
図６では、共通質問（図６では「質問（Ｑ）」として表示している。）、自治体回答及び自治体リンク先情報の例を示している。このように共通質問の各々と自治体回答及び自治体リンク先情報とが一対一で対応されて記憶部２０で記憶されてもよい。本実施の形態で提供される共通質問の全てが複数の自治体において同じ内容から構成されてもよい。
【００２８】
どの自治体でも同じＱ＆Ａリストを使用してもよいし、回答は異なるもののどの自治体でも同じ質問を使用してもよい。この態様によれば、あらゆる自治体において同じ質問リスト、又は同じ質問及び回答リストを準備するだけでよいことから、導入コストをかなり低減することができる。質問が同じ場合とは図６に示す質問（Ｑ）が全ての自治体で共通する場合であり、回答が同じ場合とは図６に示す回答（Ａ）が全ての自治体で共通する場合である。
【００２９】
また共通質問の各々と自治体回答及び自治体リンク先情報とが一対一で対応される態様を採用する場合には、（共通化のため）自治体回答が簡易なものであっても、詳細説明が記載された各自治体回答に対応する自治体のＷＥＢページにユーザである住民を案内することができる。このため、ユーザは自らの知りたい情報について詳細な説明を取得することができる。
【００３０】
制御部５０は、各質問に対する最適な一つのリンク先情報を自治体毎に機械学習によって学習してもよい。
【００３１】
共通質問は分野で分けられてもよい（図６参照）。一例としては３０分野〜５０分野に分けられる１０００〜２５００件の共通質問が記憶部２０で記憶されてもよい。
【００３２】
図１に示すように、情報処理装置はユーザからの端末装置を介したアクセス動向等を解析するログ解析部４０を有してもよい。ユーザが自己の得たかった質問及び回答に至った履歴（ログ）がログ解析部４０によって取得され、記憶部２０に記憶されてもよい。
【００３３】
情報処理装置は検索部８０を有してもよい。ユーザからキーワードが入力されると、当該キーワードに基づいて検索を行い、出力部３０が一つ又は複数の質問とその回答を出力して表示させるようにしてもよい。トップ画面にキーワードを入力するための入力欄が表示されてもよい。ユーザが入力欄にキーワードを入力することで、一つ又は複数の質問とその回答が一覧で表示されてもよい（図７の下欄参照）。
【００３４】
情報処理装置はサーバ１００を有し、当該サーバが、識別部１０と、記憶部２０と、出力部３０と、制御部５０と、ログ解析部４０と、検索部８０とを有してもよい。また、図４に示すように、サーバ１００とは別に制御部５０が設けられてもよい。サーバ１００はクラウド環境に置かれてもよい。
【００３５】
ユーザはスマートフォン、パソコン等のユーザ端末２００を用いて情報処理装置にアクセスするようにしてもよい。ブラウザのみで情報処理装置の利用が可能となってもよいし、専用アプリをインストールすることで情報処理装置の利用が可能となってもよい。複数あるユーザ端末２００の一部は自治体（役所）の窓口に設置され、自治体の窓口で利用できるようになってもよい。
【００３６】
ユーザがＱＲコード（登録商標）を読み込んだり検索サイトで検索したりすることで専用のＷＥＢサイトにアクセスすることで、ユーザの利用する自治体に関する情報を識別部１０が識別してもよい。つまり、ユーザのアクセスしたサイトの情報から、どの自治体に関する情報を取得したいかを識別部１０が識別してもよい。また、このような態様ではなく、例えばスマートフォンやタブレット等の携帯端末の位置情報から、ユーザの利用する自治体に関する情報を識別部１０が識別してもよい。一例としては、テニスコートの予約を希望した場合には、当該携帯端末の位置情報から、近隣の自治体におけるテニスコートの予約に関するリンク先情報を最終的に表示するように導いてもよい。
【００３７】
また最終的に表示されるリンク先情報は自治体の情報には限られなくてもよい。画面が遷移することで、最終的には例えば東京ガス、東京電力といった公共事業者におけるリンク先情報にアクセスできるようにしてもよい（図４参照、図４では「ＷＥＢページ」として表記している。）。例えば引っ越しに関する問い合わせについては、公共事業者情報にアクセスできるようにすることで利便性を高めることができる。また省庁のリンク先情報にアクセスできるようにしてもよい（図４参照）。例えばマイナンバーについて知りたいとの質問が来た場合には最終的には内閣府のサイトにアクセスできるようにしてもよい。また自治体の職員向けに対して法律、条令、通達、先例等に関するリンク先情報にアクセスできるようにしてもよい（図４参照）。自治体の職員専用のサイトにパスワードを使ってログインすることで自治体の職員向けのＷＥＢサイトにアクセスでき、その結果として、法律、条令、通達、先例等に関するリンク先情報にアクセスできるようにしてもよい（図４参照）。また管理者がパスワードを使ってログインすることで、管理者向けのＷＥＢサイトにアクセスできるようにしてもよい（図４参照）。またサーバ１００等の情報処理装置を介して、天気予報、電車運行情報、検索上位ワード、ニュース等を検索できるようになってもよい。
【００３８】
出力部３０は、ユーザからの自治体サービスに関する質問に対し、最終的にはリンク先情報を出力してもよい（図７参照）。本実施の形態の情報処理装置はチャットボット機能を有し、ユーザである住民との対話を行ってもよい。つまり、制御部５０は、ユーザから入力される質問に対する応答を繰り返すことで適切な共通質問を選択してもよい（図５の(3)参照）。この場合、住民との対話によって最終的なリンク先情報へと導いてもよい。なお、図７に示す態様では「こちら」という箇所が「リンク先情報」であり、この「こちら」をクリックすることで、自治体のＷＥＢサイトへ移動することになる。
【００３９】
記憶部２０は、狭域自治体に関する狭域自治体情報と、狭域自治体を地理的に包含する広域自治体に関する広域自治体情報とを記憶してもよい。一例として、記憶部２０は、狭域自治体情報として市町村情報を記憶し、広域自治体情報として都道府県情報を記憶してもよい。なお、一般的に住民向けの情報は市町村等の狭域自治体（基礎自治体）が提供し、都道府県等の広域自治体は事業者向けの情報に特化していることが多い。この点、本態様のように、狭域自治体情報と当該狭域自治体を地理的に含む広域自治体の広域自治体情報とを関連付けることで、住民にとっては狭域自治体と広域自治体との管轄違いに惑わされることなく、自己の知りたい情報に迅速にアクセスできる点で有益である。
【００４０】
より具体的には、図３に示すように、記憶部２０は、ある共通質問（共通質問Ｃ）と、当該ある共通質問（共通質問Ｃ）に対する第ｍ狭域自治体情報（第ｍ狭域自治体情報Ｃ）及び当該第ｍ狭域自治体を地理的に包含する第ｍ広域自治体情報（第ｍ広域自治体情報Ｃ）とを記憶し、別の共通質問（共通質問Ｄ）と、当該別の共通質問（共通質問Ｄ）に対する第ｍ狭域自治体情報（第ｍ狭域自治体情報Ｄ）及び第ｍ広域自治体情報（第ｍ広域自治体情報Ｄ）とを記憶してもよい。なお、ここで「ｍ」は「１以上の整数」である。
【００４１】
出力部３０は、ユーザが第一狭域自治体の住民である場合には第一狭域自治体に関する第一狭域自治体情報と、第一狭域自治体を地理的に包含する第一広域自治体に関する第一広域自治体情報を優先的に出力してもよい。優先的に出力する態様としては、ユーザから何ら指定されない場合にはユーザが住居を有する第一狭域自治体情報及び／又は第一広域自治体情報を出力し、ユーザから特別な指定を受けた場合に第一狭域自治体以外の狭域自治体に関する情報を出力したり、第一広域自治体以外の広域自治体に関する情報を出力したりしてもよい。また、出力部３０は、地方自治体情報に関しては、ユーザが第一狭域自治体の住民である場合には第一狭域自治体に関する第一狭域自治体情報と、第一狭域自治体を地理的に包含する第一広域自治体に関する第一広域自治体情報だけを出力してもよい。
【００４２】
記憶部２０は第一自治体と第一自治体に関連付けられた第一関連自治体との関連情報を記憶してもよい。ユーザが第一自治体の住民である場合には、出力部３０は第一自治体に関する第一自治体情報を第一優先で出力し、第一関連自治体に関する第一関連自治体情報を第二優先で出力してもよい。ユーザ端末２００の位置情報からユーザのいる第一自治体を識別部１０が認識し、当該第一自治体に関する第一自治体情報を第一優先で出力し、第一関連自治体情報を第二優先で出力してもよい。関連自治体としては地理的に近い自治体であってもよく、例えば第一自治体に隣接する自治体であってもよいし、第一自治体から所定の距離（例えば５０ｋｍ）の範囲内に存在する自治体であってもよい。
【００４３】
情報処理システムは、サーバ１００と通信可能になる一つ又は複数のスマートフォン、パソコン等のユーザ端末２００を有してもよい。
【００４４】
図１に示すように、ユーザ端末２００は、ユーザの利用する自治体を識別するための識別情報とユーザからの質問を送信する送信部２１０と、ユーザの利用する自治体を識別したサーバ（情報処理装置の一例である。）から、当該自治体における質問に対応する共通質問、共通質問に対する自治体回答及び共通質問に紐づけられた自治体リンク先情報を受信する受信部２２０と、を有してもよい。識別情報は、ユーザ端末２００がある自治体のＷＥＢサイトにアクセスしたという情報であってもよく、この場合には当該ある自治体のＷＥＢサイトを閲覧したいものと識別部１０が判断することになる。
【００４５】
図５を用いて一例を説明する。図５の左側に示すように、ユーザ端末２００から質問が入力されてもよい（図５では「ゴミの分別について」という質問が入力されている。）。このように質問が入力されると、関連の高い共通質問が制御部５０で判断されてユーザ端末２００で表示される。関連の高い共通質問が複数ある場合には、図５の(1)に示すように複数の候補が選択肢として端末装置の端末表示部で表示されてもよい。
【００４６】
選択肢が表示された場合には、ユーザである住民が当該選択肢から質問したい内容を選択してもよい（図５では「紙類の拠点回収」という質問が選択されている。）。このように質問が選択されると、選択された質問についての回答がユーザ端末２００で表示されてもよい。この際、当該住民が住んでいる自治体のリンク先情報であって、上記回答に関連したリンク先情報が表示されてもよい。
【００４７】
本実施の形態の読込部１０、記憶部２０、出力部３０、ログ解析部４０、検索部８０等の各部材は、一つ又は複数のＩＣチップ又は電子モジュール等で実現されてもよいし、回路構成によって実現されてもよい。
【００４８】
《効果》
次に、上述した構成からなる本実施の形態による効果であって、未だ説明していないものを中心に説明する。
【００４９】
本実施の形態において、共通質問と、共通質問に対する自治体毎の回答及び自治体毎のリンク先情報とを記憶し、識別されたユーザの利用する自治体における回答及びリンク先情報を出力する態様を採用した場合には、共通質問を用いつつも信頼性の高いリンク先情報にユーザを導くことができる。つまり、本態様によれば、簡易な共通質問を用いつつもユーザを別途準備されている自治体毎のＵＲＬへと導くことができる。このため、低コストで、信頼性の高い情報をユーザに提供できる。
【００５０】
記憶部２０が複数の第一自治体回答及び複数の第二自治体回答を記憶し、複数の第一自治体回答が複数の第二自治体回答において共通する態様を採用した場合には、質問への回答も少なくとも一部において共通化させることができる。
【００５１】
同じサービスを利用する母体を大きくすることで（例えば１００〜２００の自治体で利用できるので）、導入コスト及びランニングコストを低く抑えることができる。自治体は法律に基づいて業務を行っているので、質問に対する回答を自治体間で共通することが比較的多い。なお、自治体毎に本実施の形態と同様のシステムを導入するには１０００万円〜２０００万円の導入コストと年間５００万円のランニングコストが必要になるが、本態様を例えば５０自治体が採用した場合には、１自治体あたりの導入コストを例えば１００万円とし、ランニングコストを１００万円とすることも可能になり、劇的にコストを抑えることができる。
【００５２】
また、複数自治体で共通のサービスを利用することで、機械学習の成果（回答精度の向上）や新たな制度対応等を、単独の自治体で行う場合よりも迅速に行うことができる点でも有益である。
【００５３】
出力部３０がユーザからの自治体サービスに関する質問に対して最終的にはリンク先情報を出力する態様を採用した場合には、最終的にはユーザが別途準備されているＵＲＬへと導かれることから、ユーザは信頼できる情報に到達することができる。また最終的にリンク先情報を出力する態様を採用することで、回答を簡易化することができ、共通質問に対する共通の回答（共通回答）を用いることができる。全回答のうち共通回答の占める割合が高くなればなるほど導入コスト及びメンテナンスコストを抑えることができる点で有益である。また自治体の担当者もリンク先情報だけを正確なものにしておけば足りることから、作業負荷をかけることなくきめ細やかな行政サービスを提供できる。一例としては、共通回答は全回答のうちの８０％以上を占めてもよく、９０％以上を占めていることがより有益である。また複数の自治体において全回答が共通回答であってもよい。
【００５４】
なお、本実施の形態の情報処理装置では「雑談」が提供されてもよいが、本実施の形態の「質問」については「雑談」は含まれない。「雑談」とは行政サービスに関するものではなく、例えばシステムの名前を質問したり、システムの年齢・性別を質問したりするものである。つまり、本実施の形態において「質問」とは行政サービスに関する「回答」に繋がるものを意味し、当該「質問」に対しては最終的に必ずリンク先情報が表示されるようにしてもよい。なお、リンク先情報としてはコールセンターへのアクセス情報が表示されてもよく、どうしても回答できない場合にコールセンターへのアクセス情報が表示されるようにしてもよい。
【００５５】
記憶部２０が、狭域自治体に関する狭域自治体情報と、当該狭域自治体を包含する広域自治体に関する広域自治体情報とを記憶し、出力部３０が、ユーザが第一狭域自治体の住民である場合には第一狭域自治体に関する第一狭域自治体情報と、当該第一狭域自治体を包含する第一広域自治体に関する第一広域自治体情報を優先的に出力する態様を採用した場合には、ユーザは自己が居住している自治体の情報に優先的にアクセスすることができる。一例としては、パスポート、免許証は都道府県の管理下に置かれている。このため、パスポートや免許証についての質問を受けた際には、広域自治体情報である都道府県情報にユーザを導き、都道府県におけるリンク先情報を最終的に表示するようにしてもよい。ユーザである住民にとっては管轄がどこかということはあまり重要ではないし、そもそも知らないことが多い。この点、本態様を採用した場合には、管轄が異なるという理由でユーザからの質問を受け付けないという事態が生じることを防止し、より良い行政サービスを提供できる。
【００５６】
ユーザがどの自治体に居住しているかはユーザ端末２００の位置情報からユーザの利用する自治体が識別部１０で識別されるようにしてもよい。また、ユーザ端末２００毎のＩＤ情報が記憶部２０で記憶されており、ユーザ端末２００のＩＤ情報からユーザの利用している自治体が識別部１０で識別されてもよい。
【００５７】
記憶部２０が第一自治体と第一自治体に関連付けられた第一関連自治体との関連情報を記憶し、ユーザが第一自治体の住民である場合には第一自治体に関する第一自治体情報を出力部３０が第一優先で出力し、かつ第一関連自治体に関する一つ又は複数の自治体から構成される第一関連自治体情報を第二優先で出力する態様を採用した場合には、ユーザの居住している自治体に関する情報を第一優先で取得し、また当該自治体に関連性の高い関連自治体に関する情報を第二優先で取得することができる。
【００５８】
上述した実施の形態の記載及び図面の開示は、特許請求の範囲に記載された発明を説明するための一例に過ぎず、上述した実施の形態の記載又は図面の開示によって特許請求の範囲に記載された発明が限定されることはない。
【符号の説明】
【００５９】
１０        識別部
２０        記憶部
３０        出力部
５０        制御部
１００      サーバ
２００      ユーザ端末
２１０      送信部
２２０      受信部
【図１】
2020027527.tif 000003
【図２】
2020027527.tif 000004
【図３】
2020027527.tif 000005
【図４】
2020027527.tif 000006
【図５】
2020027527.tif 000007
【図６】
2020027527.tif 000008
【図７】
2020027527.tif 000009
【図８】
2020027527.tif 000010
【手続補正書】
【提出日】令和1年9月12日(2019.9.12)
【手続補正１】
【補正対象書類名】特許請求の範囲
【補正対象項目名】全文
【補正方法】変更
【補正の内容】
【特許請求の範囲】
【請求項１】
ユーザの利用する自治体を識別する識別部と、
共通質問、前記共通質問に対する第一自治体回答及び前記共通質問に紐づけられた第一自治体リンク先情報、並びに、前記共通質問に対する第二自治体回答及び前記共通質問に紐づけられた第二自治体リンク先情報を記憶する記憶部と、
ユーザが入力した質問に対応する共通質問を選択する制御部と、
ユーザが第一自治体を利用する場合には前記第一自治体回答及び前記第一自治体リンク先情報を出力し、ユーザが第二自治体を利用する場合には前記第二自治体回答及び前記第二自治体リンク先情報を出力する出力部と、
を備える情報処理装置。
【請求項２】
前記記憶部は複数の第一自治体回答及び複数の第二自治体回答を記憶し、
複数の第一自治体回答は複数の第二自治体回答において共通する、請求項１に記載の情報処理装置。
【請求項３】
前記出力部は、ユーザからの自治体サービスに関する質問に対し、最終的にはリンク先情報を出力する、請求項１又は２のいずれかに記載の情報処理装置。
【請求項４】
記憶部は、狭域自治体に関する狭域自治体情報と、前記狭域自治体を地理的に包含する広域自治体に関する広域自治体情報とを記憶し、
ユーザが第一狭域自治体の住民である場合には、前記出力部は、前記第一狭域自治体に関する第一狭域自治体情報と、前記第一狭域自治体を地理的に包含する第一広域自治体に関する第一広域自治体情報を優先的に出力する、請求項１乃至３のいずれか１項に記載の情報処理装置。
【請求項５】
前記記憶部は第一自治体と前記第一自治体に関連付けられた第一関連自治体との関連情報を記憶し、
ユーザが第一自治体の住民である場合には、前記出力部は、前記第一自治体に関する第一自治体情報を第一優先で出力し、前記第一関連自治体に関する第一関連自治体情報を第二優先で出力する、請求項１乃至４のいずれか１項に記載の情報処理装置。
【請求項６】
前記制御部は人工知能機能を有し、ユーザから入力された質問に対応する最適な共通質問を機械学習する、請求項１乃至５のいずれか１項に記載の情報処理装置。
【請求項７】
ユーザの利用する自治体を識別するための識別情報とユーザからの質問を送信する送信部と、
前記ユーザの利用する自治体を識別したサーバから、当該自治体における前記質問に対応する共通質問に対する自治体回答及び前記共通質問に紐づけられた自治体リンク先情報を受信する受信部と、
を備える情報処理装置。
【請求項８】
ユーザ端末がユーザの利用する自治体を識別するための識別情報をサーバに送信する工程と、
前記ユーザ端末が前記ユーザからの質問をサーバに送信する工程と、
前記ユーザの利用する自治体を識別したサーバから、当該自治体における前記質問に対応する共通質問に対する自治体回答及び前記共通質問に紐づけられた自治体リンク先情報をユーザ端末が受信する工程と、
を備える情報処理方法。
【請求項９】
情報処理装置にインストールするためのプログラムであって、
プログラムをインストールされた情報処理装置に、
ユーザの利用する自治体を識別する識別機能と、
共通質問、前記共通質問に対する第一自治体回答及び前記共通質問に紐づけられた第一自治体リンク先情報、並びに、前記共通質問に対する第二自治体回答及び前記共通質問に紐づけられた第二自治体リンク先情報を記憶する記憶機能と、
ユーザが入力した質問に対応する共通質問を選択する選択機能と、
ユーザが第一自治体の住民である場合には前記第一自治体回答及び前記第一自治体リンク先情報を出力し、ユーザが第二自治体の住民である場合には前記第二自治体回答及び前記第二自治体リンク先情報を出力する出力機能と、
を実行させる、プログラム。